(57)【要約】      （修正有）【課題】火災発生時において、煙が充満した室であっても避難方向を容易に確認できて、一早く人々を安全に避難誘導することができる緊急避難誘導装置を提供する。【解決手段】板状の一端を矢印形状した裏台と表面蓋を合わせる樹脂成型品で形成した緊急避難誘導装置１０であって、裏台の中央に凹部を形成し、凹部の溝にＬＥＤテープライト４１を固着し、樹脂成型品の裏台と表面蓋の後部１３の部分に基板ケースを嵌め合いで形成して、基板ケースに、ＬＥＤテープライト、熱感知センサー、音声再生スピーカー、リモコンセンサー、等の基板を納め、さらに、基板ケースに電池を着脱可能に電池室を形成し、ＬＥＤテープライトがオレンジ色を順次に点灯点滅しながら避難方向に流れ、同時に音声再生スピーカーにて避難方向を案内する。【選択図】図１
0003225010.tif 000002
【実用新案登録請求の範囲】
【請求項１】
緊急避難誘導装置１０であって、板状の一端を矢印形状した裏台１１と表面蓋２１を合わせる樹脂成型品で形成し、前記裏台１１の中央に凹部１４を形成し、前記凹部１４の溝１５にＬＥＤテープライト４１を用いて形成し、前記樹脂成型品の裏台１１と表面蓋２１の後部１３の部分に基板ケース３１を嵌め合いで形成し、前記基板ケース３１は、ＬＥＤテープライト、熱感知センサー、音声再生スピーカー、リモコンセンサー、等の基板３４を納め、前記基板ケース３１は電池を着脱可能に電池室３２を形成している、前記ＬＥＤテープライト４１はオレンジ色を順次に点灯点滅しながら避難方向に流れ、同時に音声再生スピーカー４２にて避難方向を案内することを特徴とする避難誘導装置。
【請求項２】
緊急避難誘導装置１０の表面蓋２１はＬＥＤテープライト投光部分２３を透明して、前記投光部分２３の以外は全て彩色２５を設けたことを特徴とする請求項１記載の避難誘導装置。
【考案の詳細な説明】
【技術分野】
【０００１】
本発明は、火災発生時において、煙が充満の中でも避難方向を正確に視認できる、ＬＥＤオレンジ色ライトの流れと、音声再生スピーカー案内を用いた緊急避難誘導装置に関するものである。
【背景技術】
【０００２】
従来の避難方向を示す誘導灯として、高輝度蓄光式誘導標識が平成２８年３月に消防庁告示第二号「誘導灯及び誘導標識の基準」の改正によって、新たな消防設備品として定義されています。
【０００３】
通路誘導標識はパネルが白地（蓄光面，薄黄色）のもので矢印が緑で強調されている。避難口がある方向を示すものであり、通路に一定間隔で設置されている。
【考案の概要】
【考案が解決しようとする課題】
【０００４】
しかしながら、高輝度蓄光式誘導標識では描かれた矢印やピクトグラムにより避難方向を示しているが、火災時の煙の中ではぼやけて見えなくなってしまい、誘導標識のピクトグラムの示す避難方向を正確に認識できないおそれがあった。
然るに、安全に避難誘導するには目的を十分に果たしていないことが思案される。  
【０００５】
本考案が解決しようとする課題は、火災発生時において、煙が充満した室でも避難方向を容易に確認できて、一早く人々を安全に避難誘導することができる緊急避難誘導装置を提供することにある。
【課題を解決するための手段】
【０００６】
前記目的を達成するために請求項１に記載の発明は、緊急避難誘導装置１０であって、板状の一端を矢印形状した裏台１１と表面蓋２１を合わせる樹脂成型品で成形し、前記裏台１１の中央に凹部１４を形成し、前記凹部１４の溝１５にＬＥＤテープライト４１を用いて形成し、前記樹脂成型品の裏台１１と表面蓋２１の後部１３の部分に基板ケース３１を嵌め合いで設け、前記基板ケース３１は、ＬＥＤテープライト、熱感知センサー、音声再生スピーカー、リモコンセンサー、等の基板３４を納め、前記基板ケース３１は電池を着脱可能に電池室３２を形成している、前記ＬＥＤテープライト４１はオレンジ色を順次に点灯点滅しながら非難方向に流れ、同時に音声再生スピーカー４２にて非難方向を案内することを特徴とする。
【０００７】
請求項２に記載の発明は、緊急避難誘導装置１０の表面蓋２１はＬＥＤテープライト投光部分２３を透明して、前記投光部分２３の以外は全て彩色を設けたことを特徴とする。
【考案の効果】
【０００８】
請求項１にあっては、緊急避難誘導装置の熱感知センサーが作動して、音声再生スピーカーが緊急避難の知らせと、非難路の方向を知らせながら、緊急避難誘導装置の表示が、オレンジ色で点灯点滅しながら避難方向に流れだし、その動きが避難者の視覚に入り誘導される、例え、煙が充満した室でも避難方向を正確にオレンジ色の誘導が視認できる。
【０００９】
請求項２にあっては、設置した場所において美観を備え持った緊急避難誘導装置で、普段でも人々の視覚に入る特徴と効果をもっている。
【図面の簡単な説明】
【００１０】
【図１】緊急避難誘導装置の形態平面図である。
【図２】緊急避難誘導装置の形態側面図である。
【図３】裏台樹脂成形の平面図である。
【図４】裏台樹脂成形の側面図であって参考側面図である。
【図５】表面蓋樹脂成形の平面図である。
【図６】表面蓋樹脂成形の側断面図であって参考側面図である。
【図７】表面蓋の一部切除し機器収納形態を示した避難誘導装置である。
【図８】図7の形態断面参照図である。
【図９】基板ケースに基板を構成した平面図である。
【図１０】基板ケースに基板を構成した側面参考図である。
【考案を実施するための形態】
【００１１】
この本考案に係わる概要を説明する。
福祉施設や病院等の建物での夜間に火災が発生した場合、先ず、火災の発見者は緊急避難誘導装置のリモコンセンサーを持出し（壁を抜けて３０ｍ程届く）スイッチＯＮに入れると、誘導装置の全てのセンサーが作動して、音声再生スピーカーが緊急避難の知らせと、避難路の方向を知らせながら、緊急避難誘導装置の表示のＬＥＤがオレンジ色で点灯点滅しながら避難方向に流れだし、その動きが避難者の視覚に入り誘導される。
【００１２】
緊急避難誘導装置の噴煙内視認実験では、倉庫室の白壁に誘導装置を設置して、その室にバーべキュウコンロで煙を生成し充満させて、避難表示のＬＥＤオレンジ色が点灯点滅しながら避難方向を指す流れを、１０メートル離れた距離で正確にオレンジ色点灯点滅の誘導が視認できた。
【００１３】
誘導装置が熱感知センサーで（火災温度６０度位で作動）作動した場合も、上記で説明の
スイッチと同じ作動をする。
【００１４】
緊急避難誘導装置の壁面取付け方法は、両面テープとビスメジの併用で取り付ける。
【００１５】
図１は緊急避難誘導装置の形態平面図である。
避難誘導装置１０の外装は板状１１の一端を矢印形状１２し、裏台１１と表面蓋２１を嵌め合わせてなる上下二枚の樹脂成型品で、裏台１１と表面蓋２１の後部１３は基板ケース３１を用いて、ＬＥＤテープライト、熱感知センサー、音声再生スピーカー、リモコンセンサー受信部、等の基板を納める。
【００１６】
避難誘導装置１０表面蓋２１の中央をＬＥＤテープライト４１投光部２３で、下記流灯が透視できる透明にしている、裏台１１に設けたＬＥＤテープライト４１が点灯点滅しながら、避難方向を指した矢印形状１２の方に流れ星のように流灯する。
【００１７】
避難誘導装置１０の外装色は消防庁指定の設備認定色なるまでは、先ず、避難誘導装置１０の外装色を光沢がない緑色２５として、表面蓋２１のＬＥＤテープライト４１投光部２３は前記で述べた透明である。
【００１８】
避難誘導装置１０を建物の壁面に取付けは、避難誘導装置１０の底面に有した両面テープとビス螺子を併用する。
【００１９】
図２は緊急避難誘導装置の形態側面図である。
緊急避難誘導装置の後部１３は、基板ケース３１を用いて、その後部部分に電池室３２を形成している。
【００２０】
図３は裏台樹脂成形の平面図である。
裏台１１は、板状の一端を矢印形状１２にして、その板状１１の中央にＡ−Ａ断面図で示す凹部１４を形成して溝１５を設け、その溝１５に両面テープを使ってＬＥＤテープライト４１を固着する。
【００２１】
裏台１１板状の外周に表面蓋２１と嵌め合いなる（ａ部、拡大図参照）突起部１６は間隔を置いて成型し、Ａ−Ａ断面図で突起部１６の形状を（ｂ部、拡大図参照）示した、（図６参照）表面蓋２１にも突起１６を受ける凹み２４を裏台と同間隔で設けている。
【００２２】
ＬＥＤテープライト４１は幅１０ｍｍ高さ３ｍｍで長さは裏台１１寸法に合わせ５５０ｍｍと決め付けたが、避難誘導装置１０寸法の長さによって自在に決めることができる。
【００２３】
又、ＬＥＤテープライト４１を数本並列に用いて大型中型の誘導装置を製作することも可能である。
【００２４】
誘導装置１０本体の樹脂成型品部分を、アクリル、エンビ、アルミ板、等を用いて成形加工して製作することも可能である。
【００２５】
図４は裏台樹脂成形の側面図であって参考側面図である。
【００２６】
図５は表面蓋樹脂成形の平面図である。
表面蓋２１は、裏台１１に設けた凹部１４高さに合わせて、表面蓋２１の後部１３を除く外の全周囲に縁２２を設け、その縁２２の端部に（前記述べした）裏台１１の突起部１６と嵌め合う凹み２４形成している。
【００２７】
表面蓋２１後部１３にスピーカー音量通過のメッシュ２６を形成している。
【００２８】
Ｂ−Ｂ断面図の部分は基板ケース３１を納める空間部である。
【００２９】
表面蓋２１投光部２３を透明として、その周囲装置の全体を緑色２５で彩色している。
【００３０】
彩色は、樹脂に着色しても良し、塗布しても良し、粘着シール等を貼っても良いことは勿論である。
【００３１】
避難誘導装置１０表面蓋２１の中央をＬＥＤテープライト４１投光部２３で、下記流灯が透視できる透明にしている、裏台１１に設けたＬＥＤテープライト４１が点灯点滅しながら、避難方向を指した矢印形状１２の方に流れ星のように流灯する。
【００３２】
図６は表面蓋樹脂成形の側断面図であって参考側面図である。
【００３３】
図７は表面蓋の一部切除し機器収納形態を示した避難誘導装置である。  
避難誘導装置１０裏台１１の凹部１４にＬＥＤテープライト４１形成し、裏台１１と表面蓋２１の嵌め合わせて、注射針を使って樹脂溶剤を流し溶着し、その溶着した本体１１，２１、の後部１３に、基板３４を構成した図９の基板ケース３１を着脱可能に挿入している。
【００３４】
基板ケース３１は後部部分に電池室３２を形成し蓋を有している。
【００３５】
図８は図7の形態断面参照図である。
【００３６】
図９は基板ケースに基板を構成した平面図である。
基板ケース３１は、ＬＥＤテープライトセンサー、熱感知センサー、音声再生スピーカーセンサー、リモコンセンサー、等の部材や回路基板３４を容易に組立できる基板ケース３１に納め配線等を構成したものである。
【００３７】
電池は着脱が容易にするため、基板ケース３１後部に電池室３２を形成して、図７、図８、で示す本体裏台１１、本体表面蓋２１、の後部に基板ケース３１納め、電池室３２が本体１１，１２、の末端後部１３に配置され、電池着脱開口部に嵌め合い蓋を設けて着脱を容易にしている。
図１０は基板ケースに基板を構成した側面参考図である。
【産業上の利用可能性】
【００３８】
緊急避難誘導装置はソーラーパネルを用いて避難場所周辺の野外に常設することも可能で、自治体が定める災害時避難場所ロードマップを捕捉して、実際の災害時には認知不足の高齢避難者等が深夜においても迷うことなく避難場所に到達できる。
誘導灯の稼動は予め町内会が決めた避難場所周辺の住民にスイッチを入力して頂く。
【符号の説明】
【００３９】
１０  緊急避難誘導装置
１１  裏台
１２  矢印形状
１３  後部
１４  凹部（ＬＥＤテープライト収納部）
１５  溝
１６  突起部
１７  螺子孔
２１  表面蓋
２２  縁
２３  ライト投光部分
２４  凹み
２５  彩色（緑色）
２６  メッシュ
３１  基板ケース
３２  電池室
３３  電池室蓋
３４  基板
４１  ＬＥＤテープライト
４２  音声再生スピーカー
【図１】
0003225010.tif 000003
【図２】
0003225010.tif 000004
【図３】
0003225010.tif 000005
【図４】
0003225010.tif 000006
【図５】
0003225010.tif 000007
【図６】
0003225010.tif 000008
【図７】
0003225010.tif 000009
【図８】
0003225010.tif 000010
【図９】
0003225010.tif 000011
【図１０】
0003225010.tif 000012
【手続補正書】
【提出日】令和1年12月2日(2019.12.2)
【手続補正１】
【補正対象書類名】実用新案登録請求の範囲
【補正対象項目名】全文
【補正方法】変更
【補正の内容】
【実用新案登録請求の範囲】
【請求項１】
板状の一端を矢印形状した裏台１１と表面蓋２１を合わせる樹脂成型品で形成した緊急避難誘導装置１０であって、前記裏台１１の中央に凹部１４を形成し、前記凹部１４の溝１５にＬＥＤテープライト４１を固着し、前記樹脂成型品の裏台１１と表面蓋２１の後部１３の部分に基板ケース３１を嵌め合いで形成して、前記基板ケース３１に、ＬＥＤテープライト、熱感知センサー、音声再生スピーカー、リモコンセンサー、等の基板３４を納めるとともに、さらに、前記基板ケース３１に電池を着脱可能に電池室３２を形成し、前記ＬＥＤテープライト４１がオレンジ色を順次に点灯点滅しながら避難方向に流れ、同時に音声再生スピーカー４２にて避難方向を案内することを特徴とする避難誘導装置。
【請求項２】
緊急避難誘導装置１０の表面蓋２１はＬＥＤテープライト投光部分２３を透明して、前記投光部分２３の以外は全て彩色２５を設けたことを特徴とする請求項１記載の避難誘導装置。 
【手続補正２】
【補正対象書類名】明細書
【補正対象項目名】全文
【補正方法】変更
【補正の内容】
【考案の詳細な説明】
【技術分野】
【０００１】本発明は、火災発生時において、煙が充満の中でも避難方向を正確に視認できる、ＬＥＤオレンジ色ライトの流れと、音声再生スピーカー案内を用いた緊急避難誘導装置に関するものである。
【背景技術】
【０００２】従来の避難方向を示す誘導灯として、高輝度蓄光式誘導標識が平成２８年３月に消防庁告示第二号「誘導灯及び誘導標識の基準」の改正によって、新たな消防設備品として定義されています。【０００３】通路誘導標識はパネルが白地（蓄光面，薄黄色）のもので矢印が緑で強調されている。避難口がある方向を示すものであり、通路に一定間隔で設置されている。
【考案の概要】
【考案が解決しようとする課題】
【０００４】しかしながら、高輝度蓄光式誘導標識では描かれた矢印やピクトグラムにより避難方向を示しているが、火災時の煙の中ではぼやけて見えなくなってしまい、誘導標識のピクトグラムの示す避難方向を正確に認識できないおそれがあった。然るに、安全に避難誘導するには目的を十分に果たしていないことが思案される。  【０００５】本考案が解決しようとする課題は、火災発生時において、煙が充満した室でも避難方向を容易に確認できて、一早く人々を安全に避難誘導することができる緊急避難誘導装置を提供することにある。
【課題を解決するための手段】
【０００６】前記目的を達成するために請求項１に記載の発明は、板状の一端を矢印形状した裏台１１と表面蓋２１を合わせる樹脂成型品で形成した緊急避難誘導装置１０であって、前記裏台１１の中央に凹部１４を形成し、前記凹部１４の溝１５にＬＥＤテープライト４１を固着し、前記樹脂成型品の裏台１１と表面蓋２１の後部１３の部分に基板ケース３１を嵌め合いで形成して、前記基板ケース３１に、ＬＥＤテープライト、熱感知センサー、音声再生スピーカー、リモコンセンサー、等の基板３４を納めるとともに、さらに、前記基板ケース３１に電池を着脱可能に電池室３２を形成し、前記ＬＥＤテープライト４１がオレンジ色を順次に点灯点滅しながら避難方向に流れ、同時に音声再生スピーカー４２にて避難方向を案内することを特徴とする。【０００７】請求項２に記載の発明は、緊急避難誘導装置１０の表面蓋２１はＬＥＤテープライト投光部分２３を透明して、前記投光部分２３の以外は全て彩色を設けたことを特徴とする。
【考案の効果】
【０００８】請求項１にあっては、緊急避難誘導装置の熱感知センサーが作動して、音声再生スピーカーが緊急避難の知らせと、非難路の方向を知らせながら、緊急避難誘導装置の表示が、オレンジ色で点灯点滅しながら避難方向に流れだし、その動きが避難者の視覚に入り誘導される、例え、煙が充満した室でも避難方向を正確にオレンジ色の誘導が視認できる。【０００９】請求項２にあっては、設置した場所において美観を備え持った緊急避難誘導装置で、普段でも人々の視覚に入る特徴と効果をもっている。
【図面の簡単な説明】
【００１０】
【図１】は緊急避難誘導装置の形態平面図である。
【図２】は緊急避難誘導装置の形態側面図である。
【図３】は裏台樹脂成形の平面図である。
【図４】は裏台樹脂成形の側面図であって参考側面図である。
【図５】は表面蓋樹脂成形の平面図である。
【図６】は表面蓋樹脂成形の側断面図であって参考側面図である。
【図７】は表面蓋の一部切除し機器収納形態を示した避難誘導装置である。
【図８】は図7の形態断面参照図である。
【図９】は基板ケースに基板を構成した平面図である。
【図１０】は基板ケースに基板を構成した側面参考図である。
【考案を実施するための形態】
【００１１】この本考案に係わる概要を説明する。福祉施設や病院等の建物での夜間に火災が発生した場合、先ず、火災の発見者は緊急避難誘導装置のリモコンセンサーを持出し（壁を抜けて３０ｍ程届く）スイッチＯＮに入れると、誘導装置の全てのセンサーが作動して、音声再生スピーカーが緊急避難の知らせと、避難路の方向を知らせながら、緊急避難誘導装置の表示のＬＥＤがオレンジ色で点灯点滅しながら避難方向に流れだし、その動きが避難者の視覚に入り誘導される。
【００１２】緊急避難誘導装置の噴煙内視認実験では、倉庫室の白壁に誘導装置を設置して、その室にバーべキュウコンロで煙を生成し充満させて、避難表示のＬＥＤオレンジ色が点灯点滅しながら避難方向を指す流れを、１０メートル離れた距離で正確にオレンジ色点灯点滅の誘導が視認できた。
【００１３】誘導装置が熱感知センサーで（火災温度６０度位で作動）作動した場合も、上記で説明のスイッチと同じ作動をする。
【００１４】緊急避難誘導装置の壁面取付け方法は、両面テープとビスメジの併用で取り付ける。
【００１５】図１は緊急避難誘導装置の形態平面図である。避難誘導装置１０の外装は板状１１の一端を矢印形状１２し、裏台１１と表面蓋２１を嵌め合わせてなる上下二枚の樹脂成型品で、裏台１１と表面蓋２１の後部１３は基板ケース３１を用いて、ＬＥＤテープライト、熱感知センサー、音声再生スピーカー、リモコンセンサー受信部、等の基板を納める。
【００１６】避難誘導装置１０表面蓋２１の中央をＬＥＤテープライト４１投光部２３で、下記流灯が透視できる透明にしている、裏台１１に設けたＬＥＤテープライト４１が点灯点滅しながら、避難方向を指した矢印形状１２の方に流れ星のように流灯する。
【００１７】避難誘導装置１０の外装色は消防庁指定の設備認定色なるまでは、先ず、避難誘導装置１０の外装色を光沢がない緑色２５として、表面蓋２１のＬＥＤテープライト４１投光部２３は前記で述べた透明である。
【００１８】避難誘導装置１０を建物の壁面に取付けは、避難誘導装置１０の底面に有した両面テープとビス螺子を併用する。
【００１９】図２は緊急避難誘導装置の形態側面図である。緊急避難誘導装置の後部１３は、基板ケース３１を用いて、その後部部分に電池室３２を形成している。
【００２０】図３は裏台樹脂成形の平面図である。裏台１１は、板状の一端を矢印形状１２にして、その板状１１の中央にＡ−Ａ断面図で示す凹部１４を形成して溝１５を設け、その溝１５に両面テープを使ってＬＥＤテープライト４１を固着する。
【００２１】裏台１１板状の外周に表面蓋２１と嵌め合いなる（ａ部、拡大図参照）突起部１６は間隔を置いて成型し、Ａ−Ａ断面図で突起部１６の形状を（ｂ部、拡大図参照）示した、（図６参照）表面蓋２１にも突起１６を受ける凹み２４を裏台と同間隔で設けている。
【００２２】ＬＥＤテープライト４１は幅１０ｍｍ高さ３ｍｍで長さは裏台１１寸法に合わせ５５０ｍｍと決め付けたが、避難誘導装置１０寸法の長さによって自在に決めることができる。
【００２３】又、ＬＥＤテープライト４１を数本並列に用いて大型中型の誘導装置を製作することも可能である。
【００２４】誘導装置１０本体の樹脂成型品部分を、アクリル、エンビ、アルミ板、等を用いて成形加工して製作することも可能である。
【００２５】図４は裏台樹脂成形の側面図であって参考側面図である。
【００２６】図５は表面蓋樹脂成形の平面図である。表面蓋２１は、裏台１１に設けた凹部１４高さに合わせて、表面蓋２１の後部１３を除く外の全周囲に縁２２を設け、その縁２２の端部に（前記述べした）裏台１１の突起部１６と嵌め合う凹み２４形成している。
【００２７】表面蓋２１後部１３にスピーカー音量通過のメッシュ２６を形成している。
【００２８】Ｂ−Ｂ断面図の部分は基板ケース３１を納める空間部である。
【００２９】表面蓋２１投光部２３を透明として、その周囲装置の全体を緑色２５で彩色している。
【００３０】彩色は、樹脂に着色しても良し、塗布しても良し、粘着シール等を貼っても良いことは勿論である。
【００３１】避難誘導装置１０表面蓋２１の中央をＬＥＤテープライト４１投光部２３で、下記流灯が透視できる透明にしている、裏台１１に設けたＬＥＤテープライト４１が点灯点滅しながら、避難方向を指した矢印形状１２の方に流れ星のように流灯する。
【００３２】図６は表面蓋樹脂成形の側断面図であって参考側面図である。
【００３３】図７は表面蓋の一部切除し機器収納形態を示した避難誘導装置である。  避難誘導装置１０裏台１１の凹部１４にＬＥＤテープライト４１形成し、裏台１１と表面蓋２１の嵌め合わせて、注射針を使って樹脂溶剤を流し溶着し、その溶着した本体１１，２１、の後部１３に、基板３４を構成した図９の基板ケース３１を着脱可能に挿入している。
【００３４】基板ケース３１は後部部分に電池室３２を形成し蓋を有している。
【００３５】図８は図7の形態断面参照図である。
【００３６】図９は基板ケースに基板を構成した平面図である。基板ケース３１は、ＬＥＤテープライトセンサー、熱感知センサー、音声再生スピーカーセンサー、リモコンセンサー、等の部材や回路基板３４を容易に組立できる基板ケース３１に納め配線等を構成したものである。
【００３７】電池は着脱が容易にするため、基板ケース３１後部に電池室３２を形成して、図７、図８、で示す本体裏台１１、本体表面蓋２１、の後部に基板ケース３１納め、電池室３２が本体１１，１２、の末端後部１３に配置され、電池着脱開口部に嵌め合い蓋を設けて着脱を容易にしている。図１０は基板ケースに基板を構成した側面参考図である。
【産業上の利用可能性】
【００３８】緊急避難誘導装置はソーラーパネルを用いて避難場所周辺の野外に常設することも可能で、自治体が定める災害時避難場所ロードマップを捕捉して、実際の災害時には認知不足の高齢避難者等が深夜においても迷うことなく避難場所に到達できる。誘導灯の稼動は予め町内会が決めた避難場所周辺の住民にスイッチを入力して頂く。
【符号の説明】
【００３９】１０  緊急避難誘導装置１１  裏台１２  矢印形状１３  後部１４  凹部（ＬＥＤテープライト収納部）１５  溝１６  突起部１７  螺子孔２１  表面蓋２２  縁２３  ライト投光部分２４  凹み２５  彩色（緑色）２６  メッシュ３１  基板ケース３２  電池室３３  電池室蓋３４  基板４１  ＬＥＤテープライト４２  音声再生スピーカー